(57)【要約】【課題】持ち運びが軽便で組み立ても容易であり、太陽光発電パネルから引き出されたコードの迅速な収容が可能であって、しかも小動物からの被害も排除することができる太陽光発電パネル用架台の斜辺部材を提供すること。【解決手段】傾斜した基台１０上に並設され、その上に太陽光発電パネル２０が載置される太陽光発電パネル用架台１の斜辺部材３０である。該斜辺部材３０は太陽光発電パネル２０を支持する斜辺部材本体３１と、斜辺部材本体３１の側面３１ａを覆い、斜辺部材本体３１の側面３１ａに電線挿通用空間３３を形成するカバー部材３２とで構成され、斜辺部材本体３１とカバー部材３２の少なくともいずれか一方に、電線挿通用空間３３に連通する開口３４が形成されることを特徴とする。【選択図】図３
2015001101.tif 000002
【特許請求の範囲】
【請求項１】
傾斜した基台上に並設され、その上に太陽光発電パネルが載置される太陽光発電パネル用架台の斜辺部材であって、
太陽光発電パネルを支持する斜辺部材本体と、斜辺部材本体の側面を覆い、斜辺部材本体の側面に電線挿通用空間を形成するカバー部材とで構成され、斜辺部材本体とカバー部材の少なくともいずれか一方に、電線挿通用空間に連通する開口が形成されることを特徴とする太陽光発電パネル用架台の斜辺部材。
【請求項２】
請求項１に記載の太陽光発電パネル用架台の斜辺部材において、カバー部材の上辺または下辺のいずれか一方が斜辺部材本体に蝶着され、他辺が斜辺部材本体に固定されるようになっていることを特徴とする太陽光発電パネル用架台の斜辺部材。
【請求項３】
請求項１又は２に記載の太陽光発電パネル用架台の斜辺部材において、並設された斜辺部材を横断して配設される架線の取り付け用の架線取付部材が斜辺部材本体の下面に更に設けられていることを特徴とする太陽光発電パネル用架台の斜辺部材。
【請求項４】
請求項１〜３のいずれかに記載の太陽光発電パネル用架台の斜辺部材において、斜辺部材本体がアルミ押出材で形成されていることを特徴とする太陽光発電パネル用架台の斜辺部材。
【請求項５】
並設された複数の背の高い水上側支持脚と、
並設され、水上側支持脚より背の低い下流側支持脚と、
隣接する水上側支持脚間に架設された上梁部材と、
隣接する下流側支持脚間にそれぞれに架設された下梁部材、及び
上・下梁部材間に並べて架設される請求項１〜４のいずれかに記載の斜辺部材とで構成されたことを特徴とする太陽光発電パネル用架台。
【発明の詳細な説明】
【技術分野】
【０００１】
本発明は組み立てや太陽光発電パネルからの配線の収納が容易で施工性に優れた太陽光発電パネル用架台とその斜辺部材に関する。
【背景技術】
【０００２】
建物の屋根面や脚台に傾斜させて太陽光発電パネルを設置するには、該パネルを支持し且つ固定する複数の斜辺部材を並設し、多数の太陽光発電パネルを載置する必要がある。この斜辺部材にはこれまでＬ形鋼やＣ形鋼が使用されており、太陽光発電パネルから引き出されたコードは、斜辺部材として配設されたＬ形鋼やＣ形鋼に沿わせて這わせ、所定間隔でバンドで固定するという方法を採用していた（特許文献１）。
【先行技術文献】
【特許文献】
【０００３】
【特許文献１】特開２０１３−７７７７７号公報
【発明の概要】
【発明が解決しようとする課題】
【０００４】
このような方法では、太陽光発電パネルの設置面積が大面積である場合、パネルの下に潜り込んで太陽光発電パネルから引き出されたコードを結束し、これを一つ一つ斜辺部材として配設されているＬ形鋼やＣ形鋼に取り付けていかねばならず、作業効率が非常に悪いという問題があった。更に、コードは外部に露出した状態であるから、雨風に曝されるだけでなく、ネズミ等の小動物の被害に遭うという問題もあった。加えて斜辺部材として使用されたＬ形鋼やＣ形鋼は鋼材であるため非常に重量がかさみ、組み立て時の作業者の持ち運びに大きな負荷がかかっていた。
【０００５】
本発明は前記課題を鑑みてなされたものであり、持ち運びが軽便で組み立ても容易であり、太陽発電パネルから引き出されたコードの迅速な収容が可能であって、しかも小動物からの被害も排除することができ、後からのメンテナンスも容易になる太陽光発電パネル用架台の斜辺部材を提供することを第１の目的とし、この斜辺部材を用いた太陽光発電パネル用架台を提供することを第２の目的とする。
【課題を解決するための手段】
【０００６】
請求項１に記載の発明は、傾斜した基台１０上に並設され、その上に太陽光発電パネル２０が載置される太陽光発電パネル用架台１の斜辺部材３０であって、
太陽光発電パネル２０を支持する斜辺部材本体３１と、斜辺部材本体３１の側面３１ａを覆い、斜辺部材本体３１の側面３１ａに電線挿通用空間３３を形成するカバー部材３２とで構成され、斜辺部材本体３１とカバー部材３２の少なくともいずれか一方に、電線挿通用空間３３に連通する開口３４が形成されることを特徴とする。
【０００７】
請求項２に記載の発明は、請求項１に記載の太陽光発電パネル用架台１の斜辺部材３０において、カバー部材３２の上辺３２ｊ又は下辺３２ｋのいずれか一方が斜辺部材本体３１に蝶着され、他辺が斜辺部材本体３１に固定されるようになっていることを特徴とする。
【０００８】
請求項３に記載の発明は、請求項１又は２に記載の太陽光発電パネル用架台１の斜辺部材３０において、並設された斜辺部材３０を横断して配設される架線４１の取り付け用の架線取付部材４０が斜辺部材本体３１の下面に更に設けられていることを特徴とする。
【０００９】
請求項４に記載の発明は、請求項１〜３のいずれかに記載の太陽光発電パネル用架台１の斜辺部材３０において、斜辺部材本体３１がアルミ押出材で形成されていることを特徴とする。
【００１０】
請求項５に記載の太陽光発電パネル用架台１は、並設された複数の背の高い水上側支持脚２と、並設され、水上側支持脚２より背の低い下流側支持脚３と、隣接する水上側支持脚２間に架設された上梁部材４と、隣接する下流側支持脚３間にそれぞれに架設された下梁部材５、及び上・下梁部材４，５間に並べて架設される請求項１〜４のいずれかに記載の斜辺部材３０とで構成されたことを特徴とする。
【発明の効果】
【００１１】
本発明に係る斜辺部材３０によれば、斜辺部材本体３１に開閉可能なカバー部材３２が設けられ、斜辺部材本体３１の側面３１ａに電線挿通用空間３３が形成されているので、カバー部材３２を開いて太陽光発電パネル２０からのコード２１をこの電線挿通用空間３３に挿入していけば自動的に斜辺部材本体３１に沿って収納されることになるため、コード２１の収納作業を効率的に行える。しかも、このコード２１は斜辺部材３０のカバー部材３２に保護されて外部に露出しないため、紫外線など外部の悪環境や小動物からの被害をなくすことができる。
【００１２】
また、カバー部材３２の上辺３２ｊ又は下辺３２ｋのいずれか一方を斜辺部材本体３１に蝶着するようにしておけば、カバー部材３２の開閉だけで、コード２１を電線挿通用空間３３に簡単に収納することができ、収納後はカバー部材３２を斜辺部材本体３１に固定しておくだけで電線挿通用空間３３は外部から隔離され、コード２１の保全が図られる。
【００１３】
更に、架線取付部材４０を設置しておけば、この架線取付部材４０を利用することで、架線４１を簡単に斜辺部材３０を横断して配設することができ、この架線４１を利用することで、斜辺部材３０の電線挿通用空間３３を這わせたコード２１を斜辺部材３０に対して横断する方向に引き回すことが簡単にできるようになる。
【００１４】
なお、水上側支持脚２、下流側支持脚３、上梁部材４、下梁部材５及び斜辺部材３０を用いることで施工性の高い太陽光発電パネル用架台１を簡単に組み立てることができるし、斜辺部材本体３１をアルミ押出材とすることで組み立て時の持ち運びを軽便にすることができる。
【図面の簡単な説明】
【００１５】
【図１】本実施形態における太陽光発電パネルの設置状態の斜視図である。
【図２】図１に用いられる基台の斜視図である。
【図３】本発明に用いられる斜辺部材の設置状態の拡大断面斜視図である。
【図４】図３のＸ矢視図である。
【発明を実施するための形態】
【００１６】
以下、本発明の実施形態について図面に沿って詳細に説明する。太陽光発電パネル２０は、照射された太陽光を電気に変換し、該パネル２０から引き出されたコード２１を介して外部に送電する設備であり、傾斜した基台１０上に並設された斜辺部材３０上に縦横に並べて設置され、引き出されたコード２１は斜辺部材３０に収納される。基台１０としては、屋根（図示せず）あるいは斜辺部材３０が傾斜して所定間隔で載置される上・下梁部材４，５以下の部分で構成される基台１０などが考えられる。基台１０としては斜辺部材３０が傾斜して所定間隔で載置できるものであればどのようなものでもよい。ここでは、図１，２に示すようなものである。
【００１７】
太陽光発電パネル用架台１は、基台１０と、この上に傾斜して所定間隔で載置される斜辺部材３０とで構成される。基台１０としては、例えば、並設された複数の背の高い水上側支持脚２と、水上側支持脚２より背の低い下流側支持脚３と、隣接する水上側支持脚２間に架設された上梁部材４と、隣接する下流側支持脚３間にそれぞれに架設された下梁部材５で構成したものがあげられる。水上側支持脚２及び下流側支持脚３は、基礎ブロック２ａ，３ａと、基礎ブロック２ａ，３ａ上に設けられた背の高い脚部２ｂ、背の低い取付プレート３ｂで構成されている。基礎ブロック２ａ，３ａ間の間隔Ｌを接離させることにより、基台１０の傾斜角度を適切な角度に設定することができる。
【００１８】
そして、図２に示すように、上梁部材４と下梁部材５に直交し且つ所定間隔で傾斜部材３０が傾斜して固定されている。傾斜部材３０は、図３、４に示すように、傾斜部材本体３１とカバー部材３２とで構成されている。傾斜部材本体３１は、アルミ押出材で構成され、平行した一対の縦片３１ｔと、縦片３１ｔの上縁間に設けられた上面部３１ｊに、下縁間に設けられた下面部３１ｋ及び下縁外面から外に延出されたＬ形の下リブ３１ｒとで構成され、上・下面部３１ｊ、３１ｋには斜辺部材本体３１の全長に亙って係合溝３１ｍ，３１ｎが形成されている。係合溝３１ｍ，３１ｎの開口内縁にはそれぞれ係止リブ３１ｏ，３１ｐが全長に亙って突設されている。そして、上面部３１ｊの外縁から垂設された垂設片３１ｑの下端全長に軸部３１ｓが形成されている。Ｌ形の下リブ３１ｒの先端部分には上方に向かって縦片３１ｒ１が立設されている。
【００１９】
カバー部材３２は樹脂材（勿論、アルミ押出材で形成してもよい。）で、水平片部３２ａと垂直片部３２ｂ及び水平片部３２ａと垂直片部３２ｂを繋ぐ円弧片部３２ｃとで構成されており、水平片部３２ａの先端に軸部３１ｓに外嵌して回動する関節部３２ｓが全長に亙って形成されている。垂直片部３２ｂの下端部内面には内方に延出された内鍔片３２ｄが全長に亙って設けられており、下リブ３１ｒの縦片３１ｒ１に係脱可能な係止片３２ｄ１が垂設されている。なお、内鍔片３２ｄの先端部分は全長に亙って下方に傾斜するように折曲されている。そして垂直片部３２ｂの下端部分に固定用の通孔３２ｂ１が所定間隔で形成されている。カバー部材３２は斜辺部材３０と同じ長さで、カバー部材３２の関節部３２ｓを軸部３１ｓに外嵌させ、この部分を丁番として回動可能とし、斜辺部材本体３１とカバー部材３２の少なくともいずれか一方に、電線挿通用空間３３に連通する開口３４を形成するようにしてもよいが、本実施例では、カバー部材３２の長さを例えば太陽光発電パネル２０に合わせた長さとし、電線挿通用空間３３に連通する開口３４となる隙間を設けて複数枚のカバー部材３２を斜辺部材本体３１に取り付けるようにしている。
【００２０】
このように形成された斜辺部材３０は、図２に示すように組み立てられた基台１０あるいは図示していない屋根に所定間隔で傾斜して設置され、その上に縦横に太陽光発電パネル２０が配置され、両端に外鍔５１が突出された固定部材５０によって斜辺部材３０に固定される。太陽光発電パネル２０から引き出されたコード２１は作業者により開かれたカバー部材３２の開口３４から斜辺部材本体３１の側面３１ａの電線挿通用空間３３に挿入され、然る後、カバー部材３２を閉じて係止片３２ｄ１が縦片３１ｒ１に係合され、最後にカバー部材３２の通孔３２ｂ１に挿通した止めネジ６０で縦片３１ｒ１に固定する。該固定は係止片３２ｄ１の縦片３１ｒ１に対する係合が十分に固いものであれば止めネジ６０は必ずしも要しない。これによりコード２１は電線挿通用空間３３内に収納され、外部から保護されることになる。加えて、コード２１が外部に剥き出しにならず外観的にすっきりしたものとなる。
【００２１】
なお、上記の例では、カバー部材３２は上辺３２ｊが蝶着される例を示したが、下辺３２ｋ側を蝶着するようにしてもよい。また、上・下梁部材４，５及び脚部２ｂ，３ｂもアルミ押出材とすることで組み立て作業性がより向上する。そして、斜辺部材本体３１の側面３１ａは図の実施例では平面となっているが、複数の棚を設けることで、コード２１を整理して収納することも可能となる。斜辺部材本体３１は一対の縦片３１ｔを有し、強度的にも優れたものとなっているが、強度が足れば１枚でもよい。
【符号の説明】
【００２２】
１：太陽光発電パネル用架台，２：水上側支持脚，２ａ：基礎ブロック，２ｂ：脚部，３：下流側支持脚，３ａ：基礎ブロック，３ｂ：脚部，４：上梁部材，５：下梁部材，１０：基台，２０：太陽光発電パネル，２１：コード，３０：斜辺部材，３１：斜辺部材本体，３１ａ：側面，３１ｊ：上面部，３１ｋ：下面部，３１ｍ，３１ｎ：係合溝，３１ｏ，３１ｐ:係止リブ，３１ｒ：下リブ，３１ｒ１：縦片，３１ｑ：垂設片，３１ｓ：軸部，３１ｔ：縦片，３２：カバー部材，３２ａ：水平片部，３２ｂ：垂直片部，３２ｂ１：通孔，３２ｃ：円弧片部，３２ｄ：内鍔片，３２ｄ１：係止片，３２ｊ：上辺，３２ｋ：下辺，３２ｓ：関節部，３３：電線挿通用空間，３４：開口，４０：架線取付部材，４１：架線，５０：固定部材，５１：外鍔、６０：止めネジ，：Ｌ：間隔。
【図１】
2015001101.tif 000003
【図２】
2015001101.tif 000004
【図３】
2015001101.tif 000005
【図４】
2015001101.tif 000006